(57)【要約】      （修正有）【課題】新鮮な空気をボックス内に流入させ、ボックス内の汚染された気体を確実に排出させる実験動物飼育籠を提供する。【解決手段】実験動物飼養籠１はボックス２および蓋３から構成される。蓋３は、ボックス２上に覆設される。蓋３は、弧形部３１を有する。また、蓋３は、該蓋３の前端３２の一方に偏って設置され、給気バルブ７が嵌挿される給気口４、蓋３の前端３２の給気口４から離れた他方に偏って設置され、排気バルブが嵌挿される排気口５、および、蓋３内に配置され、蓋３の前端３２から弧形部３１に向かって延伸され、蓋３と共に通気路３３を形成する隔離板６を含む。これにより、新鮮な気体は、給気バルブ７から流入し、通気路３３を経由して弧形部３１まで流され、弧形部３１から下に向かいボックス２内へ流入し、ボックス２内の汚染された気体を排気バルブから押し出して排出させ、ボックス２内の空気の循環を行う。【選択図】図１
0003171922.tif 000002
【実用新案登録請求の範囲】
【請求項１】
ボックスと、
前記ボックスに覆設され、孤形部が形成される蓋であって、前記孤形部とは反対側の前端の一方に偏って設置され給気バルブが嵌挿される給気口、前記前端の前記給気口から離れた他方に偏って設置され排気バルブが嵌挿される排気口、および、前記前端から前記弧形部に向かって延伸され通気路を形成する隔離板を有する蓋と、
を備えることを特徴とする動物飼育籠。
【請求項２】
前記蓋の前記弧形部に近接する箇所には、部分的に回転するようにフィルタが設置され、
前記フィルタは、交換可能な濾材を有し、
前記隔離板は、凹型溝を有し、
前記給気バルブは、前記凹型溝に対応する給気平板フック部を有し、
前記給気平板フック部は、前記凹型溝中に嵌合されることを特徴とする請求項１に記載の動物飼育籠。
【請求項３】
前記給気バルブは、給気ベース、給気弾性部材、第一バルブ、給気閉塞部材及び給気密封部材からなり、
前記給気ベースは、一部が前記蓋の外側に配置され、他の一部が前記蓋の内側に配置され、
前記給気弾性部材および前記第一バルブは、前記蓋の内側に設置され、
前記給気閉塞部材および前記給気密封部材は、前記蓋の外側に設置され、
前記給気ベースは、前記給気平板フック部、給気第一環状部及び給気第二環状部を含み、
前記給気第一環状部は、前記給気平板フック部の前記蓋の前端に隣接する一方に設置され、外に向けて給気フランジ部が設けられ、
前記給気第一環状部は、前記給気口に貫設され、前記給気フランジ部が前記蓋の外へ露出し、
前記給気第二環状部は、前記給気平板フック部の前記蓋の前端から離れた他方に設置され、
前記給気第一環状部の内径は、前記給気第二環状部の内径より大きく、
前記第一バルブは、前記給気第二環状部内に設置され、給気盤状体及び給気柱を有し、
前記給気柱は、前記給気第二環状部に隣接し、
前記給気弾性部材の両端は、前記給気第二環状部内及び前記第一バルブの前記給気盤状体にそれぞれ当接し、
前記給気柱は、前記給気弾性部材内に配置され、
前記給気閉塞部材は、給気頭部、給気通気部及び給気連結部を有し、
前記給気頭部は、前記給気通気部の前記給気ベースから離れた一方に設置され、
前記給気連結部は、前記給気通気部の前記給気ベースに隣接する他方に設置され、
前記給気通気部は、等角度間隔で複数の給気通気口が設けられ、
前記給気連結部は、前記給気ベースと前記給気弾性部材とにより前記第一バルブの前記給気柱内に塞がれる様に固着され、
前記給気密封部材は、前記給気第一環状部の前記給気フランジ部上に覆設され、
前記排気バルブは、排気ベース、排気弾性部材、第二バルブ、排気閉塞部材及び排気密封部材を有し、
前記排気ベースは、一部が前記蓋の外側に配置され、他の一部が前記蓋の内側に配置され、
前記排気弾性部材および前記第二バルブは、前記蓋の内側に設置され、
前記排気閉塞部材および前記排気密封部材は、前記蓋の外側に設置され、
前記排気ベースは、排気平板フック部、排気第一環状部及び排気第二環状部を含み、
前記排気第一環状部は、前記排気平板フック部の前記蓋の前端に隣接する一方に設置され、外に向けて排気フランジ部が設けられ、
前記排気第一環状部は、前記排気口に貫設され、前記排気フランジ部が前記蓋の外へ露出し、
前記排気第二環状部は、前記排気平板フック部の前記蓋の前端から離れた他方に設置され、
前記排気第一環状部の内径は、前記排気第二環状部の内径より大きく、
前記第二バルブは、前記排気第二環状部内に設置され、排気盤状体及び排気柱を有し、
前記排気柱は、前記排気第二環状部に隣接し、
前記排気弾性部材の両端は、前記排気第二環状部内及び前記第二バルブの前記排気盤状体にそれぞれ当接し、
前記排気柱は、前記排気弾性部材内に配置され、
前記排気閉塞部材は、排気頭部、排気通気部及び排気連結部を有し、
前記排気頭部は、前記排気通気部の前記排気ベースから離れた一方に設置され、
前記排気連結部は、前記排気通気部の前記排気ベースに隣接する他方に設置され、
前記排気通気部は、等角度間隔で複数の排気通気口が設けられ、
前記排気連結部は、前記排気ベースと前記排気弾性部材とにより前記第二バルブの前記排気柱内に塞がれる様に固着され、
前記排気密封部材は、前記排気第一環状部の前記排気フランジ部上に覆設され、
前記第二バルブの前記排気盤状体は、切欠を有することを特徴とする請求項１に記載の動物飼育籠。
【請求項４】
前記通気路の長さは、前記蓋の長さの半分より大きく、
前記隔離板は、垂直板及び横板が垂直に結合されることを特徴とする請求項１に記載の動物飼育籠。
【考案の詳細な説明】
【技術分野】
【０００１】
本考案は、動物の飼育容器に関し、より詳しくは実験動物等の動物飼育籠に関する。
【背景技術】
【０００２】
特許文献１には動物飼育容器の構造が掲載されており、給気ユニットおよび排気ユニットが共に容器上に直接設置され、容器の蓋上には濾過装置が設置されている。
特許文献２の動物飼育容器によると、給気ユニットと排気ユニットとを容器の蓋上に設置している。
【０００３】
特許文献３に掲載された動物飼育容器は、蓋に通気路および排気路を設置し、それぞれを空気室に連通させる。空気室は隔離板により給気室と排気室とに分割され、空気室は飼育容器内部の開口部と連通し濾過装置を設置する。濾過装置の外縁に密封リングを嵌挿し、濾過装置の上面には隔離板に対応させて密封ストリップを設け、濾過装置中には濾材を挟持させて設置させる。
【先行技術文献】
【特許文献】
【０００４】
【特許文献１】台湾特許第５３６３８１号明細書
【特許文献２】国際公開第２００５０８９５３６号
【特許文献３】台湾特許第Ｍ３６９０２９号明細書
【考案の概要】
【考案が解決しようとする課題】
【０００５】
特許文献１の構造の動物飼育容器は、給気ユニットおよび排気ユニットが飼育される動物に噛まれることで容易に損壊し、封鎖機能を喪失させるため、給気ユニットおよび排気ユニットにそれぞれ自動封鎖的機能を付加せねばならず製造コストを増加させた。
特許文献２の動物飼育容器は、給気ユニットおよび排気ユニットが噛まれて容易に損壊する問題を解決できる可能性はある。しかしながら、給気ユニットおよび排気ユニットは、自身の材料の弾性により自動封鎖の作用を得るため、材料の弾性が容易に疲労してしまい閉鎖効果が不完全になる。また、給気ユニットおよび排気ユニットの構造が非常に複雑になるために同様に製造コストの増加を招いた。
このほか、濾過器が蓋内部に設置されて排気ユニット上の位置で揺れるため、給気ユニットおよび排気ユニットが一旦自動封鎖されると、飼育容器全体が完全に封鎖された空間となるため、飼養される動物が酸素欠乏により窒息する虞があるといった問題があった。
特許文献３の動物飼育容器は濾過装置の外縁に密封リングを嵌挿させて空気室との密封を保持し、濾過装置の上面には隔離板に対応させて密封ストリップを設置させる構造であるために複雑であり、製造コストを下げることが出来ず、改善の余地があった。
【０００６】
このように、従来の技術では、飼育される動物が酸素欠乏により窒息する虞があり、製造コストを増加させるといった問題があった。
本考案は、このような従来の問題に鑑みてなされたものである。上記課題解決のため、本考案は、新鮮な空気をボックス内に流入させ、ボックス内の汚染された気体を確実に排出させる動物飼育籠を提供することを主目的とする。
【課題を解決するための手段】
【０００７】
上述した課題を解決し、目的を達成するために、本考案に係る動物飼養籠は少なくとも一つのボックスと一つの蓋から構成される。蓋は、ボックス上に覆設される。蓋は、弧形部を有する。また、蓋は、蓋の孤形部とは反対側の前端の一方に偏って設置され、給気バルブが嵌挿される給気口、蓋の前端の給気口から離れた他方に偏って設置され、排気バルブが嵌挿される排気口、および、蓋内に配置され、蓋の前端から弧形部に向かって延伸され、蓋と共に通気路を形成する隔離板を更に含むことを特徴とする。
【０００８】
これにより、新鮮な気体は、給気口に設置される給気バルブから流入し、隔離板および蓋によって形成される通気路を経由して弧形部まで流され、新鮮な気体は弧形部から下に向かいボックス内へ流入し、ボックス内の汚染された気体を排気口に設置される排気バルブから押し出して排出させ、ボックス内の空気の循環を行う。
【図面の簡単な説明】
【０００９】
【図１】本考案の一実施形態による動物飼育籠の斜視図である。
【図２】図１のＡ−Ａ線断面図である。
【図３】本考案の一実施形態による給気バルブの分解斜視図である。
【図４】本考案の一実施形態による給気バルブの断面図である。
【図５】本考案の一実施形態による排気バルブの分解斜視図である。
【図６】本考案の一実施形態による排気バルブの断面図である。
【図７】本考案の一実施形態による給気バルブの作動を説明する説明図である。
【図８】本考案の一実施形態による排気バルブの作動を説明する説明図である。
【考案を実施するための形態】
【００１０】
以下に図面を参照して、本考案を実施するための形態について、詳細に説明する。なお、本考案は、以下に説明する実施形態に限定されるものではない。
以下、本考案の実施形態を図面に基づいて説明する。
（一実施形態）
図１及び図２によれば、本考案の一実施形態による動物飼育籠１は、少なくともボックス２及び蓋３を含む。蓋３はボックス２上に覆い被さり、蓋３とボックス２とは嵌合部材９により分離可能な形で結合され固定される。
【００１１】
蓋３の後端は、弧形部３１を有する。また蓋３は、給気口４、排気口５及び隔離板６を更に含む。給気口４は、蓋３の前端３２に設置されて、一方（例えば図１の右側）に偏る。給気口４には、給気バルブ７が嵌挿される。排気口５は、蓋３の前端３２に設置され、給気口４から離れた一方に偏る。排気口５には、排気バルブ８が嵌挿される。隔離板６は、垂直板６１及び横板６２がほぼ垂直に結合されることで構成される。隔離板６は、給気口４及び弧形部３１に対向させて蓋３内に設置される。隔離板６および蓋３によって通気路３３が形成され、好ましくは、通気路３３の長さは蓋３の長さの半分より長くなる。
【００１２】
次に、蓋３の弧形部３１に隣接する箇所には、部分的に回転するようにフィルタ３４を設置し、給気口４および給気バルブ７、或いは、排気口５および排気バルブ８が塞がれることで動物飼育籠１中の動物が窒息するのを回避する。また、フィルタ３４と半開式の排気バルブ８とにより微循環を形成し、更には移動させる際に給気口４からすぐに気体が送られないために動物が窒息する問題を回避する。またフィルタ３４は交換可能な濾材３５を有し、濾材３５は実際の需要に応じて異なる濾材を選択できるため、透気性とウィルスのフィルタリング等の各種需要に応える。
【００１３】
このほか、図４によれば、隔離板６は、凹型溝６３を有する。給気バルブ７は、凹型溝６３に対応する給気平板フック部７１１を有し、凹型溝６３中に嵌め込まれる。これにより、給気バルブ７は給気口４に固定され、外れるのを防ぐ。
【００１４】
これにより、新鮮な気体は、給気口４に設置される給気バルブ７から流入し、隔離板６および蓋３によって形成される通気路３３を経由して弧形部３１まで流され、再び弧形部３１から新鮮な空気をボックス２内へ流入させ、ボックス２内の汚染された気体を排気口５に設置される排気バルブ８から押し出して排出させ、ボックス２内の空気を確実に循環させる。
このほかに、給気口４および給気バルブ７、或いは、排気口５および排気バルブ８の対向位置は、互いに調整させることが可能で、同様なボックス２内の空気の循環を行える。
【００１５】
図３及び図４によると、給気バルブ７は、給気ベース７１、給気弾性部材７２、第一バルブ７３、給気閉塞部材７４及び給気密封部材７５を有する。給気ベース７１は、部分的に蓋３の外と蓋３の内とに置かれる。給気弾性部材７２および第一バルブ７３は、蓋３内に設置される。給気閉塞部材７４および給気密封部材７５は、蓋３の外に設置される。
給気ベース７１は、給気平板フック部７１１、給気第一環状部７１２及び給気第二環状部７１３を含む。給気第一環状部７１２は、給気平板フック部７１１の蓋３の前端３２に隣接する一方に設置され、外に向かって給気フランジ部７１４が設けられる。給気第一環状部７１２は、給気口４に貫設され、給気フランジ部７１４を蓋３の外に露出させる。給気第二環状部７１３は、給気平板フック部７１１の蓋３の前端３２から離れた他方に設置される。給気第一環状部７１２の内径は、給気第二環状部７１３の内径より大きい。給気第一バルブ７３は、給気第二環状部７１３内に設置され、給気盤状体７３１及び給気柱７３２を有する。給気柱７３２は、給気第二環状部７１３に隣接する。給気弾性部材７２は、圧縮バネであり、両端は給気第二環状部７１３内及び第一バルブ７３の給気盤状体７３１にそれぞれ当接する。給気柱７３２は、給気弾性部材７２内に配置される。給気閉塞部材７４は、給気頭部７４１、給気通気部７４２及び給気連結部７４３を有する。給気頭部７４１は、給気通気部７４２の給気ベース７１から離れた一方に設置される。給気連結部７４３は、給気通気部７４２の給気ベース７１に隣接する他方に設置される。給気通気部７４２には、等角度間隔で複数の給気通気口７４４が設けられる。給気連結部７４３は、給気ベース７１と給気弾性部材７２とにより第一バルブ７３の給気柱７３２内に固着される。給気密封部材７５は、給気第一環状部７１２の給気フランジ部７１４上に覆設される。
【００１６】
第一バルブ７３の給気盤状体７３１が給気第二環状部７１３に緊密に貼着されることで、密閉状態を呈する。また図５及び図６によると、排気バルブ８の構造は、給気バルブ７の構造と概ね同様であり、その差はバルブの構造のみである。
【００１７】
詳しくは、排気バルブ８は、排気ベース８１、排気弾性部材８２、第二バルブ８３、排気閉塞部材８４及び排気密封部材８５を有する。排気ベース８１は、部分的に蓋３の外と蓋３の内とに置かれる。排気弾性部材８２および第二バルブ８３は、蓋３内に設置される。排気閉塞部材８４および排気密封部材８５は、蓋３外に設置される。
排気ベース８１は、排気平板フック部８１１、排気第一環状部８１２及び排気第二環状部８１３を含む。排気第一環状部８１２は、排気平板フック部８１１の蓋３の前端３２に隣接する一方に設置され、外に向かって排気フランジ部８１４が設けられる。排気第一環状部８１２は、排気口５に貫設され、排気フランジ部８１４を蓋３の外へ露出させる。排気第二環状部８１３は、排気平板フック部７１１の蓋３の前端３２から離れた他方に設置される。排気第一環状部８１２の内径は、排気第二環状部８１３の内径より大きい。第二バルブ８３は、排気第二環状部８１３内に設置され、排気盤状体８３１及び排気柱８３２を有する。排気柱８３２は、排気第二環状部８１３に隣接する。排気盤状体８３１は、切欠８３３を有する。排気弾性部材８２は、圧縮バネであり、両端は排気第二環状部８１３内及び第二バルブ８３の排気盤状体８３１にそれぞれ当接する。排気柱８３２は、排気弾性部材８２内に配置される。排気閉塞部材８４は、排気頭部８４１、排気通気部８４２及び排気連結部８４３を有する。排気頭部８４１は、排気通気部８４２の排気ベース８１から離れた一方に設置される。排気連結部８４３は、排気通気部８４２の排気ベース８１に隣接する他方に設置される。排気通気部８４２には、等角度間隔で複数の排気通気口８４４が設けられる。排気連結部８４３は、排気ベース８１と排気弾性部材８２とにより第二バルブ８３の排気柱８３２内に固着される。排気密封部材８５は、排気第一環状部８１２の排気フランジ部８１４上に覆設される。
第二バルブ８３の排気盤状体８３１は、排気第二環状部８１３に緊密に貼着されるが、第二バルブ８３の排気盤状体８３１が切欠８３３を有することで微循環状態を呈する。
【００１８】
図７及び図８によれば、新鮮な気体を装置の給気口４の給気バルブ７から流入させる場合、図７によれば、先に給気閉塞部材７４を下へ押し、第一バルブ７３の給気盤状体７３１を給気ベース７１の給気第二環状部７１３から引き離すことで、新鮮な気体を給気閉塞部材７４の中心部分から流入させ、各給気通気口７４２を経由させ給気盤状体７３１と給気第二環状部７１３との間の隙間を通過させ、最後に蓋３２内に流入させる。詳述すれば、新鮮な気体を隔離板６および蓋３によって形成される通気路３３中へ流入させ、再び蓋３の弧形部３１からボックス２内へ流入させて、ボックス２中の汚染された気体を押し出させる。
【００１９】
続いて、排気口５の排気バルブ８から汚染された気体を排出させる場合、図８によれば、排気閉塞部材８４を下へ押し、第二バルブ８３の排気盤状体８３１を排気ベース８１の排気第二環状部８１３から引き離すことで、汚染された気体を排気盤状体８３１と排気第二環状部８１３の間の隙間から、各排気通気口８４２を経由させ排気閉塞部材８４の中心部分を通過させて外へ排出させる。
【００２０】
上述の構造により、新鮮な気体は給気口４に設置される給気バルブ７を経由して蓋３および隔離板６によって形成される通気路３３中に流入し、続いて新鮮な気体は通気路３３から蓋３の弧形部３１へ流入する。通気路３３の長さが蓋３の長さの半分より長いために、新鮮な気体はボックス２内の汚染された気体に対して排出或いは相互作用を起こすことはなく、新鮮な気体は弧形部３１からボックス２内へ流入し、ボックス２内の汚染された気体を排気口５に設置される排気バルブ８から排出させ、空気の循環効果を確実に達成させる。
【００２１】
また、フィルタ３４および半開式の排気バルブ８が微循環を形成させることで、動物飼育籠１は動物飼育システムの装置上から取り出す際に、動物飼育籠１内は空気循環効果を維持させ、飼育される動物の窒息問題を有効的に回避できる。
以上、本考案はこのような実施形態に限定されるものではなく、考案の趣旨を逸脱しない範囲において、種々の形態で実施することができる。
【符号の説明】
【００２２】
１・・・・動物飼育籠
２・・・・ボックス
３・・・・蓋
３１・・・弧形部
３２・・・前端
３３・・・通気路
３４・・・フィルタ
３５・・・濾材
４・・・・給気口
５・・・・排気口
６・・・・隔離板
６１・・・垂直板
６２・・・横板
６３・・・凹型溝
７・・・・給気バルブ
７１・・・給気ベース
７１１・・給気平板フック部
７１２・・給気第一環状部
７１３・・給気第二環状部
７１４・・給気フランジ部
７２・・・給気弾性部材
７３・・・第一バルブ
７３１・・給気盤状体
７３２・・給気柱
７４・・・給気閉塞部材
７４１・・給気頭部
７４２・・給気通気部
７４３・・給気連結部
７４４・・給気通気口
７５・・・給気密封部材
８・・・・排気バルブ
８１・・・排気ベース
８１１・・排気平板フック部
８１２・・排気第一環状部
８１３・・排気第二環状部
８１４・・排気フランジ部
８２・・・排気弾性部材
８３・・・第二バルブ
８３１・・排気盤状体
８３２・・排気柱
８４・・・排気閉塞部材
８４１・・排気頭部
８４２・・排気通気部
８４３・・排気連結部
８４４・・排気通気口
８５・・・排気密封部材
９・・・・嵌合部材
【図１】
0003171922.tif 000003
【図２】
0003171922.tif 000004
【図３】
0003171922.tif 000005
【図４】
0003171922.tif 000006
【図５】
0003171922.tif 000007
【図６】
0003171922.tif 000008
【図７】
0003171922.tif 000009
【図８】
0003171922.tif 000010